(57)【要約】【課題】  極めて短い間隔でのデータ収集と、その収集データに関する合理的な出力が可能な技術を提供する。【解決手段】  全軸をつなぐ系列ネットワーク(β)内において各種のデータを取得する計算機(10)と、その系列ネットワーク(β)とは別に設けられた高速ネットワーク(α)において、全軸における所定のデータを収録可能な高速データ収録装置(40)とを備える。その高速データ収録装置(40)は、２５０ms以下のサイクルにて全軸における各種のデータを収録可能であるとともに、収録したデータを出力可能な出力装置を備える。【選択図】  図１
2008089513.tif 000002
【特許請求の範囲】
【請求項１】
全軸をつなぐ系列ネットワーク内において各種のデータを取得する計算機と、
その系列ネットワークとは別に設けられた高速ネットワークにおいて、全ての軸における所定のデータを収録可能な高速データ収録装置と、
収録したデータを出力可能な出力装置と、を備え、
前記高速データ収録装置は、２５０ms 以下のサイクルにて全軸における各種のデータを収録可能に形成したことを特徴とする高速データ収録システム。
【請求項２】
前記出力装置には、画面出力において、出力形態を操作者が選択可能な機能メニューを出力させることとし、
その機能メニューには、任意の信号ポイントを縦軸とするとともに時間を横軸としてグラフ表示させるＴＹトレンド機能と、
任意の信号ポイントを縦軸または横軸に設定してグラフ表示させるＸＹトレンド機能と、
前記のＴＹトレンド機能または前記のＸＹトレンド機能によるグラフを一画面に四つ表示させる四画面トレンド機能と、
収録している信号ポイントのデータ値を一覧形式で表示させる収録点リスト機能と、
収録している信号ポイントの名称や測定レンジなどを一覧表形式で表示させる信号一覧機能と、
収録したデータを別の記録媒体にバックアップさせるバックアップ機能のうち、いずれか一つを含むことを特徴とする請求項１に記載の高速データ収録システム。
【請求項３】
前記画面出力において、軸ごとに色分けした出力表示としたことを特徴とする請求項１または請求項２のいずれかに記載の高速データ収録システム。
【請求項４】
全軸をつなぐ系列ネットワーク内において各種のデータを取得する計算機と、
その系列ネットワークとは別に設けられた高速ネットワークにおいて、全ての軸における所定のデータを収録可能な高速データ収録装置と、
収録したデータを出力可能な出力装置と、を備えた高速データ収録システムの制御プログラムであって、
そのプログラムは、２５０ms 以下のサイクルにて全軸における各種のデータを受信するデータ受信手順と、
そのデータ受信手順にて受信したデータを収録するデータ収録手順と、
そのデータ収録手順にて収録されたデータを、操作者の要求に応じて出力するデータ出力手順とを、前記高速データ収録システムに実行させることとしたことを特徴とするコンピュータプログラム。
【請求項５】
前記データ出力手順においては、出力形態を操作者が選択可能な機能メニューを出力させることとし、
その機能メニューには、任意の信号ポイントを縦軸とするとともに時間を横軸としてグラフ表示させるＴＹトレンド機能と、
任意の信号ポイントを縦軸または横軸に設定してグラフ表示させるＸＹトレンド機能と、
前記のＴＹトレンド機能または前記のＸＹトレンド機能によるグラフを一画面に四つ表示させる四画面トレンド機能と、
収録している信号ポイントのデータ値を一覧形式で表示させる収録点リスト機能と、
収録している信号ポイントの名称や測定レンジなどを一覧表形式で表示させる信号一覧機能と、
収録したデータを別の記録媒体にバックアップさせるバックアップ機能のうち、いずれか一つを含むことを特徴とする請求項４に記載のコンピュータプログラム。
【請求項６】
前記データ出力手順においては、軸ごとに色分けした出力表示としたことを特徴とする請求項４または請求項５のいずれかに記載のコンピュータプログラム。
【発明の詳細な説明】
【技術分野】
【０００１】
本発明は、多数の測定箇所における測定データを高速で収集可能な高速データ収録システムおよびその高速データ収録システムに用いるコンピュータプログラムに関する。
【背景技術】
【０００２】
プラント、火力発電所のような大型施設では、その運転制御には極めて多くのセンサが作動し、常に測定データを取得している。こうした測定データは、できるだけ短いサイクルで収集することが望ましい。
連続的な測定データを収集し、保存する技術としては、古くはペンレコーダが代表的である。特許文献１には、マルチペン化に対応可能な技術が開示されている。
また、特許文献２には、ペンレコーダにて記録されたアナログデータをデジタル化する技術が開示されている。
【０００３】
【特許文献１】特開２０００−８８６１４号公報
【特許文献２】特開平７−１２５９４号公報
【発明の開示】
【発明が解決しようとする課題】
【０００４】
現在の発電所の計算機では、１秒間隔で測定データを取得することが、最も短いサイクルであった。しかし、火力発電所の建設時における試験運転などにあっては、瞬間的に測定値が上下動するような事態を試験しなければならないような場合がある。このような事態においては、１秒という間隔では長すぎるため、もっと短い間隔でのデータ取得が必要とされている。
【０００５】
また、データ取得後に、取得したデータを出力させたり、比較閲覧したり、バックアップをしたりするなど、データを扱うことについて、合理的な機能メニューが必要とされている。
【０００６】
本発明は、上記の問題点に鑑みなされたものである。
すなわち、多数の測定箇所における測定データを極めて短い間隔でのデータ収集とその収集データに関する合理的な出力が可能な技術を提供することを課題とする。
請求項１から請求項３に記載の発明は、極めて短い間隔でのデータ収集とその収集データに関する合理的な出力が可能な高速データ収録システムを提供することが目的である。
また、請求項４から請求項６に記載の発明は、極めて短い間隔でのデータ収集とその収集データに関する合理的な出力が可能な高速データ収録システムの制御プログラムを提供することが目的である。
【課題を解決するための手段】
【０００７】
（請求項１）
請求項１記載の発明は、  全軸をつなぐ系列ネットワーク内において各種のデータを取得する計算機と、  その系列ネットワークとは別に設けられた高速ネットワークにおいて、全ての軸における所定のデータを収録可能な高速データ収録装置と、  収録したデータを出力可能な出力装置と、を備え、  前記高速データ収録装置は、２５０ms 以下のサイクルにて全軸における各種のデータを収録可能に形成したことを特徴とする高速データ収録システムに係る。
【０００８】
（用語説明）
「軸」とは、ガスタービン、蒸気タービン、排熱回収ボイラ、発電機を主な構成とする発電設備の単位である。また、複数の軸の集まりを「系列」と称する。
「２５０ms以下」としたのは、これまでの最短サイクルである１秒の１／４秒以下である。２００ms以下であることが、より好ましい。２００msサイクルとすると、１秒間に５回となる。２５０msや２００msといった１秒で割り切れるサイクルを1サイクルとすれば、１秒という単位に慣れたこれまでの操作者の感覚に対しては好ましい。
「計算機」は、収集される各種のデータが発生する現場に近い場所（いわゆる現場または現場に近接した設備内）に設置される。
「出力装置」とは、画面出力をさせるためのモニタや液晶、紙媒体へ印刷するプリンタ、などを含む。
【０００９】
（作用）
系列ネットワークとは別の高速ネットワークを介して、２５０ms以下という極めて短いサイクルにてデータを収録することが出来る。このため、瞬時に変化するデータであっても、これまでよりも正確な再現、分析などが可能となる。
また、出力装置によって、系列ネットワーク内の全てのデータを、操作者が集中的に把握できる。
【００１０】
（請求項２）
請求項２に記載の発明は、請求項１に記載の高速データ収録装置を限定し、  前記出力装置には、画面出力において、出力形態を操作者が選択可能な機能メニューを出力させることとしたものである。
その機能メニューには、任意の信号ポイントを縦軸とするとともに時間を横軸としてグラフ表示させるＴＹトレンド機能と、  任意の信号ポイントを縦軸または横軸に設定してグラフ表示させるＸＹトレンド機能と、  前記のＴＹトレンド機能または前記のＸＹトレンド機能によるグラフを一画面に四つ表示させる四画面トレンド機能と、  収録している信号ポイントのデータ値を一覧形式で表示させる収録点リスト機能と、  収録している信号ポイントの名称や測定レンジなどを一覧表形式で表示させる信号一覧機能と、  収録したデータを別の記録媒体にバックアップさせるバックアップ機能のうち、いずれか一つを含むこととしたことを特徴とする。
【００１１】
（用語説明）
「機能メニュー」とは、前述したＴＹトレンド機能、バックアップ機能などを示すメニューの他、選択したデータを表計算ソフトにて扱えるようにするメニュー（ＣＳＶ変換）などを備えていてもよい。
【００１２】
（作用）
データ取得後に、取得したデータを操作者が出力させたり、比較閲覧するなどデータを扱うことについて、合理的な操作画面が提供される。
【００１３】
請求項３に記載の発明は、請求項１または請求項２のいずれかに記載の高速データ収録装置を限定したものであり、
軸ごとに色分けした出力表示としたことを特徴とする。
【００１４】
（用語説明）
「色分けした出力表示」とは、画面のメニューバー、タスクバー、あるいは背景色などを、系列軸ごとに異ならせる出力表示のことである。
【００１５】
（作用）
系列軸ごとに出力表示が色分けされているので、操作者が現在、どの系列軸に関するデータが出力されているかを認識しやすい。それにより、操作者の勘違いなどによる操作ミスの未然防止に寄与する。
【００１６】
（請求項４）
請求項４に記載の発明は、全軸をつなぐ系列ネットワーク内において各種のデータを取得する計算機と、  その系列ネットワークとは別に設けられた高速ネットワークにおいて、全ての軸における所定のデータを収録可能な高速データ収録装置と、  収録したデータを出力可能な出力装置と、を備えた高速データ収録システムの制御プログラムに係る。
その制御プログラムは、２５０ms 以下のサイクルにて全軸における各種のデータを受信するデータ受信手順と、  そのデータ受信手順にて受信したデータを収録するデータ収録手順と、  そのデータ収録手順にて収録されたデータを、操作者の要求に応じて出力するデータ出力手順とを、前記高速データ収録システムに実行させることとしたことを特徴とするコンピュータプログラムである。
【００１７】
（請求項５）
請求項５に記載の発明は、請求項４に記載のコンピュータプログラムにおける前記データ出力手順においては、出力形態を操作者が選択可能な機能メニューを出力させることとする。
その機能メニューには、任意の信号ポイントを縦軸とするとともに時間を横軸としてグラフ表示させるＴＹトレンド機能と、  任意の信号ポイントを縦軸または横軸に設定してグラフ表示させるＸＹトレンド機能と、  前記のＴＹトレンド機能または前記のＸＹトレンド機能によるグラフを一画面に四つ表示させる四画面トレンド機能と、  収録している信号ポイントのデータ値を一覧形式で表示させる収録点リスト機能と、  収録している信号ポイントの名称や測定レンジなどを一覧表形式で表示させる信号一覧機能と、  収録したデータを別の記録媒体にバックアップさせるバックアップ機能のうち、いずれか一つを含む。
【００１８】
（請求項６）
請求項６に記載の発明は、請求項４または請求項５のいずれかに記載のコンピュータプログラムを限定したものであり、
前記データ出力手順において、軸ごとに色分けした出力表示としたことを特徴とする。
【００１９】
請求項４から請求項６に記載のコンピュータプログラムは、記録媒体に記録して配布したり、当該コンピュータプログラムを格納したコンピュータから送信することもできる。
【発明の効果】
【００２０】
請求項１から請求項３に記載の発明によれば、極めて短い間隔でのデータ収集とその収集データに関する合理的な出力が可能な高速データ収録システムを提供することができた。
また、請求項４から請求項６に記載の発明によれば、極めて短い間隔でのデータ収集とその収集データに関する合理的な出力が可能な高速データ収録システムの制御プログラムを提供することができた。
【発明を実施するための最良の形態】
【００２１】
以下、本願発明を、実施形態および図面に基づいて、更に詳しく説明する。ここで用いる図面は、図１から図７である。図１はシステム構成図、図２から図７は、操作画面を示す図である。
【００２２】
（図１）
図１に示すのは、全軸をつなぐ系列ネットワークβ内において各種のデータを取得する計算機１０と、その系列ネットワークβとは別に設けられた高速ネットワークαにおいて、全ての軸データを収録可能な高速データ収録装置４０とを備えた高速データ収録システムである。
前記全軸高速データ収録装置４０は、２５０msのサイクル、必要に応じて２００msのサイクルにて全軸における各種のデータを収録可能であるとともに、収録したデータを出力可能な液晶モニタ４１およびプリンタ４２を備えている。
【００２３】
系列ネットワークβは、Ｇ／Ｗを介して、各系列における全ての制御装置３１，３２，３３、・・からのデータを収集する。
高速ネットワークは、軸ごとに設けられた高速データ収録装置を備えることもできる。
このような全軸高速データ収録装置４０によれば、２５０ms以下という極めて短いサイクルにてデータを収録することが出来る。このため、瞬時に変化するデータであっても、これまでよりも正確に再現、分析などが可能となる。  また、液晶モニタ４１およびプリンタ４２によって、系列ネットワーク内の全てのデータを集中的に把握できる。
【００２４】
（図２）
図２に示すのは、操作者が系列軸を選択する画面表示である。データ取得後に、取得した所定のデータを操作者が出力させたり、比較閲覧したい場合などに対して、合理的な操作画面が提供されている。
画面中央には、軸一覧があり、その軸一覧の中に、選択可能な軸と、それに対応した軸の選択ボタンが表示されている。操作者による軸の選択は、液晶モニタ４１の画面上において、選択したい軸の名称に対応した白丸ボタンにポインタを合わせて指定し、確認ボタンをクリックすることとなる。
【００２５】
（図３）
図３は、全軸高速データ収録装置４０における液晶モニタ４１に出力される画面において、出力形態を操作者が選択可能な機能メニューのボタンを８種類出力させるものである。
ＴＹトレンド、ＸＹトレンド、４画面トレンド、収録点リスト、信号一覧、バックアップ、ＣＳＶ変換、メインテナンスという各種のメニューボタンが、操作者においては選択可能である。
ＴＹトレンドとは、任意の信号ポイントを縦軸とするとともに時間を横軸としてグラフ表示させる機能である。
ＸＹトレンドとは、任意の信号ポイントを縦軸または横軸に設定してグラフ表示させる機能である。
４画面トレンドとは、前記のＴＹトレンド機能または前記のＸＹトレンド機能によるグラフを一画面に四つ表示させる機能である。
収録点リストとは、収録している信号ポイントのデータ値を一覧形式で表示させる機能である。
信号一覧とは、収録している信号ポイントの名称や測定レンジなどを一覧表形式で表示させる機能である。
バックアップとは、収録したデータを別の記録媒体にバックアップさせる機能である。
ＣＳＶ変換とは、選択したデータを表計算ソフトにて扱えるようにするための機能である。
メインテナンスとは、システムの一部または全部をソフトウェア的にメインテナンスさせるための機能である。
【００２６】
画面下のファックションキーによって操作できるよう、対応表示がなされている。
また、画面上のタイトルバー部分には、「高速データ収録装置・メニュー」と表示される他、表示されている時刻と、選択された軸とが表示されている。
更に、選択された軸に応じてこのタイトルバー部分は、色分け表示されることとなっている。この色分け表示により、操作者の誤認、勘違いなどを軽減することとしている。実施形態では色分けが図示できないが、たとえば１軸を青、２軸を黄、３軸を赤、といった色分けとしている。
【００２７】
（図４）
図４は、メインテナンスのメニューボタンを表示する画面であり、操作者により、６種類のメインテナンスの選択が可能である。
信号登録、時刻設定、環境設定、パスワード解除、収集停止、シャットダウンの６種類がある。
信号登録とは、収録する信号ポイントを登録するためのメニューである。
時刻設定とは、液晶モニタ４１に表示される時刻を修正するためのメニューである。
環境設定とは、全軸高速データ収録装置４０を構成するコンピュータに関する各種の設定を行うメニューである。
パスワード解除とは、所定のアクセスに関するパスワード制限を解除するためのメニューである。
シャットダウンとは、全軸高速データ収録装置４０を構成するコンピュータをシャットダウンするためのメニューである。
なお、この画面においても画面下のファックションキーによって操作できるよう、対応表示がなされている。
【００２８】
（図５）
図５は、収集データより表示するデータ開始日時を操作者が選択するための画面出力を示す。データの選択については、全軸高速データ収録装置４０を構成するコンピュータ内のハードディスク、または全軸高速データ収録装置４０が制御可能な別媒体に記録されたデータが対象となっている。
【００２９】
（図６）
図６は、ＴＹトレンドを選択した場合に出力される画面の一例である。この画面におけるタイトルバーも、選択された軸に対応した色が表示される。
時間軸を横軸とし、スクロールバーによって表示領域を変更できる。また、所定の時刻におけるデータを知りたい場合などにおいて、読み取りカーソルを操作することによって、当該データを読むことができる。
なお、この画面においても画面下のファックションキーによって操作できるよう、対応表示がなされている。
【００３０】
（図７）
図７は、比較表示の画面出力である。経験上、４つのトレンドグラフを同時に出力させることが最も扱いやすいため、縦横２列にて縮小表示させている。この画面におけるタイトルバーも、選択された軸に対応した色が表示される。
【産業上の利用可能性】
【００３１】
本発明は、電力業界およびそれらのメインテナンス業界において用いることができる。また、電力以外の各種プラント業界およびそれらのメインテナンス業界などにおいても用いることができる。
【図面の簡単な説明】
【００３２】
【図１】実施形態に係るシステム構成図である。
【図２】軌道軸の選択画面を示す図である。
【図３】複数のメニューボタンによる出力形態の選択画面を示す図である。
【図４】複数のメインテナンスの選択画面を示す図である。
【図５】データ選択を指定する画面を示す図である。
【図６】出力メニューの一つであるＴＹトレンドによる出力例を示す図である。
【図７】出力メニューの一つである４画面トレンドによる出力例を示す図である。
【符号の説明】
【００３３】
α  高速ネットワーク              β  系列ネットワーク
１０  計算機
３１，３２，３３  制御装置
４０  全軸高速データ収録装置      ４１  液晶モニタ
４２  プリンタ
【図１】
2008089513.tif 000003
【図２】
2008089513.tif 000004
【図３】
2008089513.tif 000005
【図４】
2008089513.tif 000006
【図５】
2008089513.tif 000007
【図６】
2008089513.tif 000008
【図７】
2008089513.tif 000009